(57)【要約】【課題】固定の領域ではなく移動していかなる領域も、またハンズフリーで全方位的な領域を撮像および録画でき、しかも映像のみならず音声も記録することができるウェアラブル監視カメラシステムを得る。【解決手段】本発明ウェアラブル監視カメラシステムは、ヘッドバンド３によりヘルメット２に装着するＣＣＤカメラ手段４であって、撮像レンズ５と、この撮像レンズ５の近傍におけるボタン動作の視点確認用レーザポインタ６とを有するＣＣＤカメラ手段４と、ヘッドセットタイプのマイク手段としてのインターカム手段８と、ウエストポーチ９に収納するエンコードサーバー手段１０であって、ＣＣＤカメラ手段４およびインターカム手段８からの映像信号および音声信号をエンコードして記録可能なエンコードサーバー手段１０と、手段４、８、手段１０のそれぞれに給電するバッテリ手段１１とを有する。【選択図】図１
2006148842.tif 000002
【特許請求の範囲】
【請求項１】
身体に装着するＣＣＤカメラ手段であって、身体前方に指向する撮像レンズと、この撮像レンズの近傍に配置したボタン動作のレーザ光発生手段とを有するＣＣＤカメラ手段と、
ヘッドセットタイプのマイク手段と、
体に装着するポーチ手段に収納するエンコードサーバー手段であって、前記ＣＣＤカメラ手段およびマイク手段からの映像信号および音声信号、並びに内蔵のクロック手段からの日時情報信号をエンコードし、また文字情報に変換した日時情報をスーパーインポーズ手段を介して撮像した映像にスーパーインポーズして記録可能なエンコードサーバー手段と、
ＣＣＤカメラ手段、マイク手段、エンコードサーバー手段のそれぞれに給電するバッテリ手段と
を具えたことを特徴とするウェアラブル監視カメラシステム。
【請求項２】
前記ＣＣＤカメラ手段は、身体着用具に直接組み込んだ、もしくは身体着用具に着脱自在に設けたＣＣＤカメラ手段とした請求項１記載のウェアラブル監視カメラシステム。
【請求項３】
前記エンコードサーバー手段は通信手段を有するものとし、通信手段に対応する通信回線を介してセンターサーバー環境との双方向通信可能にした請求項１又は２記載のウェアラブル監視カメラシステム。
【請求項４】
前記レーザ光発生手段は、操作ボタンを押している間だけレーザ光発生手段が動作する構成とした請求項１乃至３のうちいずれか一項に記載のウェアラブル監視カメラシステム。
【請求項５】
前記マイク手段を無線インターカム手段とし、遠隔の管制スタッフと双方向に指示および応答ができるようにした請求項１乃至４のうちのいずれか一項に記載のウェアラブル監視カメラシステム。
【請求項６】
さらに、ＧＰＳ装置、高度センサ、および電波時計センサを前記エンコードサーバー手段に接続し、前記エンコードサーバー手段は、ＧＰＳ装置、高度センサ、および電波時計センサから得られる三次元位置情報および日付時刻情報を文字情報に変換し、この文字情報を記録された映像の１フレーム毎に刻印するスーパーインポーズ手段を有するものとして構成した請求項１乃至５のうちのいずれか一項に記載のウェアラブル監視カメラシステム。
【請求項７】
前記エンコードサーバー手段は、ＧＰＳ装置の不感応地域に進入する直前の有効三次元位置情報を基点とし、進入後の挙動情報から三次元位置を予測し、予測した三次元位置情報をスーパーインポーズ手段に供給する位置予測手段を有するものとして構成した請求項６記載のウェアラブル監視カメラシステム。
【請求項８】
前記撮像レンズの近傍に設けるレーザ光発生手段は、バーコード読み取り可能なレーザスキャナ手段とし、少なくとも読み取り完了をオペレータに知らせる通知音発生手段を設け、前記エンコードサーバー手段は、映像とともに、レーザスキャナ手段から読み取ったバーコード情報をセンターサーバー環境に転送可能にした請求項１乃至５のうちのいずれか一項に記載のウェアラブル監視カメラシステム。
【請求項９】
前記ＣＣＤカメラ手段は、前記撮像レンズの近傍に配置したＲＦＩＤを読み取るＲＦＩＤ読み取り手段を有するものとして構成し、このＲＦＩＤ読み取り手段には少なくとも読み取り完了をオペレータに知らせる通知音発生手段を設け、前記エンコードサーバー手段は、映像とともに、ＲＦＩＤ読み取り手段から読み取ったＲＦＩＤ情報をセンターサーバー環境に転送可能にした請求項１乃至５のうちのいずれか一項に記載のウェアラブル監視カメラシステム。
【請求項１０】
前記エンコードサーバー手段を、超高温にも耐える耐熱性および超衝撃にも耐える耐衝撃性を有する構造とした請求項１乃至７のうちのいずれか一項に記載のウェアラブル監視カメラシステム。
【請求項１１】
前記スーパーインポーズ手段は、エンコードサーバー手段に接続するパーソナルコンピュータ等からの文字入力を、記録する映像にスーパーインポーズできるものとして構成した請求項１乃至１０のうちのいずれか一項に記載のウェアラブル監視カメラシステム。
【請求項１２】
前記エンコードサーバー手段は、装着者が操作する作業開始ボタンおよび作業終了ボタンを有するものとして構成し、作業工程プロセス毎の作業開始および作業終了ボタンを押された時刻を記録し、エンコードサーバー手段に記録された生産現場における作業工程プロセス毎の作業開始時刻および作業終了時刻情報を、接続手段を介してローカルなパーソナルコンピュータに転送し、もしくは通信手段を介してセンターサーバー環境に転送し、パーソナルコンピュータもしくはセンターサーバー環境は、転送された作業開始時刻および作業終了時刻情報から作業工程プロセスの能率を計算し、計算結果を出力可能にした作業レポート手段を有するものとして構成した請求項１乃至１１のうちのいずれか一項に記載のウェアラブル監視カメラシステム。
【請求項１３】
前記エンコードサーバー手段は、撮像した映像情報に映る人物の顔を認識し、除去可能なぼかし画像処理を施すぼかし画像処理手段を有するものとして構成した請求項１乃至１２のうちのいずれか一項に記載のウェアラブル監視カメラシステム。
【請求項１４】
前記エンコードサーバー手段は、映像情報に対してＸ軸およびＹ軸方向のグリッドを設定して各フレームのグリッド交点における特定画素情報の変化速度が所定速度より速い映像特異ポイントを記録し、また音声情報に対して急激なデシベル変化を生じた音声特異ポイントを記録し、これら特異ポイントよりも設定可能な秒数手前のポイントから順次再生することを可能にする再生ポイントを記録する再生ポイント生成手段を有するものとして構成した請求項１乃至１２のうちのいずれか一項に記載のウェアラブル監視カメラシステム。
【請求項１５】
前記エンコードサーバー手段は、撮像した映像情報の開始フレームに映る複数個の個体を認識して各個に連続番号を付与し、順次のフレーム毎に、連続番号が付与されていない新しい個体に対して後続の連続番号を付与することにより個体数を計数し、計数値を記録する個体計数手段を有するものとして構成した請求項１乃至１２のうちのいずれか一項に記載のウェアラブル監視カメラシステム。
【発明の詳細な説明】
【技術分野】
【０００１】
本発明は監視カメラシステムに関するものである。
【背景技術】
【０００２】
従来このような監視カメラシステムとしては、固定ポイントに設置し、所定領域内への侵入者を検知したとき、侵入者を撮影するようにするものがある。（例えば、特許文献１参照。）
【特許文献１】特開２０００‐２０９５７１
【発明の開示】
【発明が解決しようとする課題】
【０００３】
しかし、従来の監視カメラシステムは、固定ポイントに設置するため、固定の所定領域の映像しか撮像および録画できなかった。
【０００４】
したがって、本発明の目的は、固定の領域ではなく移動していかなる領域も、またハンズフリーで全方位的な領域を連続的に撮像および録画でき、しかも映像のみならず音声も記録することができるウェアラブル監視カメラシステムを得るにある。
【０００５】
さらに、本発明の他の目的は、このウェアラブル監視カメラシステムを利用したシステムを得るにある。
【課題を解決するための手段】
【０００６】
この目的を達成するため、本発明ウェアラブル監視カメラシステムは、
身体に装着するＣＣＤカメラ手段であって、身体前方に指向する撮像レンズと、この撮像レンズの近傍に配置したボタン動作のレーザ光発生手段とを有するＣＣＤカメラ手段と、
ヘッドセットタイプのマイク手段と、
体に装着するポーチ手段に収納するエンコードサーバー手段であって、前記ＣＣＤカメラ手段およびマイク手段からの映像信号および音声信号、並びに内蔵のクロック手段からの日時情報信号をエンコードし、また文字情報に変換した日時情報をスーパーインポーズ手段を介して撮像した映像にスーパーインポーズして記録可能なエンコードサーバー手段と、
ＣＣＤカメラ手段、マイク手段、エンコードサーバー手段のそれぞれに給電するバッテリ手段と
を具えたことを特徴とする。
【発明の効果】
【０００７】
本発明によれば、身体に装着するＣＣＤカメラ手段により身体前方の映像を撮像するため、ＣＣＤカメラ手段の装着者が身体部分を向けることができる全方位わたる映像をハンズフリーで撮像し、エンコードサーバー手段でエンコードされ、かつに日時情報を刻印した状態で録画することができる。さらに、映像のみならずヘッドセットタイプのマイク手段により音声を録音することができる。
【発明を実施するための最良の形態】
【０００８】
本発明の好適な実施例においては、ＣＣＤカメラ手段は、身体着用具に直接組み込んだ、もしくは身体着用具に着脱自在に設けたＣＣＤカメラ手段とする。身体着用具としては、好適には、身体のうちの頭部に着用するヘルメット、キャップ、バイザー等がある。その他の身体着用具としては、首に装着するネックバンド等、もしくは胸部に装着するチェストバンド等がある。
【０００９】
本発明の好適な実施例においては、エンコードサーバー手段は通信手段を有するものとし、通信手段に対応する通信回線を介してセンターサーバー環境との双方向通信可能にする。
【００１０】
また、本発明の好適な実施例においては、レーザポインタは、操作ボタンを押している間だけレーザポインタが動作する構成とする。さらに、マイク手段は、無線インターカム手段とし、遠隔の管制スタッフと双方向に指示および応答ができるようにすると好適である。
【００１１】
さらに、本発明の好適な実施例においては、ＧＰＳ装置、高度センサ、および電波時計センサを前記エンコードサーバー手段に接続し、前記エンコードサーバー手段は、三次元位置情報および日付時刻情報を記録された映像の１フレーム毎に刻印するスーパーインポーズ手段を有するものとして構成する。この構成によれば、仮に事故が発生した場面を撮影した場合、正確な場所（緯度、経度、高度）および正確な日時を特定でき、しかも、偽造・改竄をすることができないため絶対認証機能を有する。
【００１２】
この実施例の場合、前記エンコードサーバー手段は、ＧＰＳ装置の不感応地域に進入する直前の有効三次元位置情報を基点とし、進入後の挙動情報から三次元位置を予測し、予測した三次元位置情報をスーパーインポーズ手段に供給する位置予測手段を有するものとして構成すると好適である。さらに、ＧＰＳ不感応地域では、位置情報が予測情報であることを示唆する表示で映像の１フレーム毎に刻印すると好適である。
【００１３】
さらにまた、本発明の好適な実施例においては、前記撮像レンズの近傍に配置するレーザ光発生手段は、バーコード読み取り可能なレーザスキャナ手段とし、少なくとも読み取り完了をオペレータに知らせる通知音発生手段を設け、前記エンコードサーバー手段は、映像とともに、レーザスキャナ手段から読み取ったバーコード情報を、例えば、ＰＯＳ端末を経てセンターサーバー環境に転送可能にする。この構成によれば、本発明ウェアラブル監視カメラシステムを物流現場に利用するとき、バーコード情報とともに、物流の映像（日付刻印付き）もセンターサーバー環境に記録でき、商取引における絶対認証に利用できる。
【００１４】
本発明の他の好適な実施例においては、前記ＣＣＤカメラ手段は、前記撮像レンズの近傍にＲＦＩＤを読み取るＲＦＩＤ読み取り手段を有するものとして構成し、ＲＦＩＤ読み取り手段には少なくとも読み取り完了をオペレータに知らせる通知音発生手段を設け、前記エンコードサーバー手段は、映像とともに、ＲＦＩＤ読み取り手段から読み取ったＲＦＩＤ情報をセンターサーバー環境に転送可能にする。この構成によれば、本発明ウェアラブル監視カメラシステムを物流現場に利用するとき、ＲＦＩＤ情報とともに、物流の映像（日付刻印付き）もセンターサーバー環境に記録でき、商取引における絶対認証に利用できる。
【００１５】
本発明の好適な実施例においては、前記エンコードサーバー手段を、超高温にも耐える耐熱性および超衝撃にも耐える耐衝撃性を有する構造とする。この構成によれば、ＣＣＤカメラ本体が破壊されるような事故に遭遇した場合でも、エンコードサーバー手段を回収することによって、事故の瞬間も、カメラ破壊直前まで現場の映像（日付刻印付き）を再生することが可能であり、事故原因究明、事故状況把握をすることができ、事故再発防止に役立てることができる。
【００１６】
さらにまた、本発明の他の好適な実施例においては、前記スーパーインポーズ手段は、エンコードサーバー手段に接続するパーソナルコンピュータ等からの文字入力を、記録する映像にスーパーインポーズできるものとして構成する。この構成によれば、本発明ウェアラブル監視カメラシステムを工事現場に使用するとき、工事名、工期、現場の住所等を映像のイントロダクション部分もしくはエンディング部分に刻印することができる。
【００１７】
本発明の好適な実施例においては、前記エンコードサーバー手段は、装着者が操作する作業開始ボタンおよび作業終了ボタンを有するものとして構成し、作業工程プロセス毎の作業開始および作業終了ボタンを押された時刻を記録し、エンコードサーバー手段に記録された生産現場における作業工程プロセス毎の作業開始時刻および作業終了時刻情報を、接続手段を介してローカルなパーソナルコンピュータに転送し、もしくは通信手段を介してセンターサーバー環境に転送し、パーソナルコンピュータもしくはセンターサーバー環境は、転送された作業開始時刻および作業終了時刻情報から作業工程プロセスの能率を計算し、計算結果を出力可能にする作業レポート手段を有するものとして構成する。この構成によれば、本発明ウェアラブル監視カメラシステムを生産もしくは作業現場に使用するとき、生産もしくは作業プロセスの映像（日付刻印付き）を記録することができるとともに、所要時間および作業能率をレポートすることができるため、生産もしくは作業プロセスの能率化向上に役立てることができる。
【００１８】
さらに、本発明の好適な実施例においては、エンコードサーバー手段は、撮像した映像情報に映る人物の顔を認識し、除去可能なぼかし画像処理を施すぼかし画像処理手段を有するものとして構成する。この構成によれば、個人情報保護法に触れるような事態を回避することができる。
【００１９】
さらにまた本発明の好適な実施例においては、前記エンコードサーバー手段は、映像情報に対してＸ軸およびＹ軸方向のグリッドを設定して各フレームのグリッド交点における特定画素情報の変化速度が所定速度より速い映像特異ポイントを記録し、また音声情報に対して急激なデシベル変化を生じた音声特異ポイントを記録し、これら特異ポイントよりも設定可能な秒数手前のポイントから順次再生することを可能にする再生ポイントを記録する再生ポイント生成手段を有するものとして構成する。この構成によれば、エンコードサーバー手段から、接続手段もしくは通信手段を介して映像情報および音声情報を転送されるローカルなパーソナルコンピュータ、もしくはセンターサーバー環境において、転送された映像情報および音声情報のうちの異常事態を自動的に、容易に検索および再生することができる。
【００２０】
本発明の他の好適な実施例においては、前記エンコードサーバー手段は、撮像した映像情報の開始フレームに映る複数個の個体を認識して各個に連続番号を付与し、順次のフレーム毎に、連続番号が付与されていない新しい個体に対して後続の連続番号を付与することにより個体数を計数し、計数値を数フレーム毎に順次刻印する個体計数手段を有するものとして構成する。この構成によれば、本発明ウェアラブル監視カメラシステムを自然生体観察現場に使用するとき、貴重な動物の生息数量などを予測することに役立てることができる。
【００２１】
次に、図面につき本発明の好適な実施例を説明する。
【実施例１】
【００２２】
図１は、本発明によるウェアラブル監視カメラシステム身体に装着した作業員１を示す。本発明ウェアラブル監視カメラシステムは、作業員１の身体のうち頭部、好適には、ヘルメット２に、ヘッドバンド３により装着するＣＣＤカメラ手段４を有する。しかし、ＣＣＤカメラ手段４は、直接頭部に装着したり、頭部着用具としてヘルメット、キャップ、サンバイザー等に直接組み込んだ、もしくはこれら頭部着用具に着脱自在に取り付けたものとすることができる。さらに、頭部だけでなく、身体の他の部分、例えば、首部、胸部、腰部に装着するものとすることができる。
【００２３】
ＣＣＤカメラ手段４は、図２に示すように、ヘルメット２の装着部前方に指向する撮像レンズ５と、この撮像レンズ５の近傍におけるボタン動作のレーザ光発生手段としてのレーザポインタ６とを有する。このレーザポインタ６は、好適には、操作ボタン７を押している間だけレーザポインタが動作する構成とする。操作ボタン７を押してレーザ光を発生してレーザ光が照射しているポイントが撮像している箇所を示す視点確認用ポインタとして機能する。
【００２４】
本発明ウェアラブル監視カメラシステムには、さらに、ヘッドセットタイプのマイク手段、図示の実施例では耳にセットする無線インターカム手段８（図３参照）を設け、遠隔の管制スタッフと双方向に指示および応答ができるようにする。
【００２５】
本発明ウェアラブル監視カメラシステムには、さらにまた、体に装着するポーチ手段例えば、ウエストポーチ９に収納するエンコードサーバー手段であって、ＣＣＤカメラ手段４およびインターカム手段８からの映像信号および音声信号をエンコードして記録可能なエンコードサーバー手段１０と、ＣＣＤカメラ手段４、インターカム手段８、エンコードサーバー手段１０のそれぞれに給電するバッテリ手段１１とを設ける。エンコードサーバー手段１０は通信手段を有するものとし、通信手段に対応する通信回線網１２を介してセンターサーバー環境もしくは管制スタッフ用ＰＣ環境１３との双方向通信可能にすると好適である。図４は、エンコードサーバー手段１０およびバッテリ手段１１をウエストポーチ９から引き出した状態を示す説明図である。
【００２６】
エンコードサーバー手段１０は、さらに、内蔵のクロック手段１０Ａからの日時情報信号をエンコードし、文字情報に変換して撮像した映像にスーパーインポーズするスーパーインポーズ手段１０Ｂ有する。またエンコードサーバー手段１０は、例えば、ＣＦカードを有するものとして構成し、また、通信手段は、所要に応じ無線ＬＡＮ、ＰＨＳ通信カード、又はＦＯＭＡ（登録商標）カード等任意の通信カードを使用することができる。図５に、通信対応ウェアラブル監視カメラシステムの概念を示す。
【００２７】
好適な実施例においては、図６に示すように、エンコードサーバー手段１０に、ＧＰＳ装置１４、高度センサ１５、および電波時計センサ１６を接続し、エンコードサーバー手段１０には、ＧＰＳ装置１４、高度センサ１５、および電波時計センサ１６からの三次元位置情報および日付時刻情報を文字情報に変換し、この文字情報を記録された映像の１フレーム毎に刻印するスーパーインポーズ手段１０Ｂを有するものとして構成すると好適である。この実施例によれば、１フレーム毎に刻印される三次元位置情報および時刻情報は、絶対的な認証機能を有するため、本発明ウェアラブル監視カメラシステムを、交通取締や警備に利用する場合、各種公的検査（例えば、自動車車検、エレベータ法定点検、プラント等法定保守点検等）の記録、裁判等の証言記録、各種工事・保守の記録（竣工等に関わる各種文書の代替証拠）に利用することができる。
【００２８】
さらに、エンコードサーバー手段１０は、ＧＰＳ装置の不感応地域に進入する直前の有効三次元位置情報を基点とし、進入後の挙動情報から三次元位置を予測し、予測した三次元位置情報をスーパーインポーズ手段１０Ｂに供給する位置予測手段１７を有するものとして構成すると好適である。
【００２９】
ＣＣＤカメラ手段４に設けるレーザ光発生手段６は、バーコード読み取り可能なレーザスキャナ手段６とし、少なくとも読み取り完了をオペレータに知らせる通知音発生手段１８を設け、エンコードサーバー手段１０は、映像とともに、レーザスキャナ手段６から読み取ったバーコード情報を、例えば、ＰＯＳ端末を経て、センターサーバー環境１３に転送可能にすると好適である。この構成によれば、本発明ウェアラブル監視カメラシステムを、ＰＯＳレジ係、在庫調査、棚卸等に利用する場合、物品実体の映像とともに、バーコード映像も記録保存でき、作業の効率化や、不都合があった場合の再現を図ることができる。この実施例の場合、ＣＣＤカメラ手段４は頭部ではなく、身体の他の部分に装着するものとするとよい。
【００３０】
ＣＣＤカメラ手段４は、撮像レンズ５の近傍に配置したＲＦＩＤを読み取るＲＦＩＤ読み取り手段１９を有するものとして構成し、このＲＦＩＤ読み取り手段には少なくとも読み取り完了をオペレータに知らせる通知音発生手段１８を設け、エンコードサーバー手段１０は、映像とともに、ＲＦＩＤ読み取り手段１９から読み取ったＲＦＩＤ情報をセンターサーバー環境１３に転送可能にすると好適である。この構成によれば、本発明ウェアラブル監視カメラシステムを、ＰＯＳレジ係、在庫調査、棚卸等に利用する場合、物品実体の映像とともに、バーコード映像も記録保存でき、作業の効率化や、不都合があった場合の再現を図ることができる。
【００３１】
エンコードサーバー手段１０は、超高温にも耐える耐熱性および超衝撃にも耐える耐衝撃性を有する構造とすると好適である。この構成によれば、ＣＣＤカメラ本体が破壊されるような事故に遭遇した場合でも、エンコードサーバー手段を回収することによって、事故の瞬間も、カメラ破壊直前まで現場の映像（日付刻印付き）を再生することが可能であり、事故原因究明、事故状況把握をすることができ、事故再発防止に役立てることができる。
【００３２】
スーパーインポーズ手段１０Ｂは、エンコードサーバー手段に接続するパーソナルコンピュータ等からの文字入力を、記録する映像にスーパーインポーズできるものとして構成すると好適である。この構成によれば、本発明ウェアラブル監視カメラシステムを工事現場に使用するとき、工事名、工期、現場の住所等を映像のイントロダクション部分もしくはエンディング部分に刻印することができる。
【００３３】
さらに、エンコードサーバー手段１０は、装着者が操作する作業開始ボタン２０および作業終了ボタン２１を有するものとして構成し、作業工程プロセス毎の作業開始および作業終了ボタンを押された時刻を記録し、エンコードサーバー手段に記録された生産現場における作業工程プロセス毎の作業開始時刻および作業終了時刻情報を、接続手段を介してローカルなパーソナルコンピュータに転送し、もしくは通信手段を介してセンターサーバー環境に転送し、パーソナルコンピュータもしくはセンターサーバー環境１３は、転送された作業開始時刻および作業終了時刻情報から作業工程プロセスの能率を計算し、計算結果を出力可能にした作業レポート手段を有するものとして構成すると好適である。この構成によれば、本発明ウェアラブル監視カメラシステムを生産もしくは作業現場に使用するとき、生産もしくは作業プロセスの映像（日付刻印付き）を記録することができるとともに、所要時間および作業能率をレポートすることができるため、生産もしくは作業プロセスの能率化向上に役立てることができる。
【００３４】
また、エンコードサーバー手段１０は、撮像した映像情報に映る人物の顔を認識し、除去可能なぼかし画像処理を施すぼかし画像処理手段２２を有するものとして構成すると好適である。この構成によれば、本発明ウェアラブル監視カメラシステムの種々の用途での使用において、肖像権又は個人情報保護法に触れるような事態を回避することができる。
【００３５】
さらに、エンコードサーバー手段１０は、映像情報に対してＸ軸およびＹ軸方向のグリッドを設定して各フレームのグリッド交点における特定画素情報の変化速度が所定速度より速い映像特異ポイントを記録し、また音声情報に対して急激なデシベル変化を生じた音声特異ポイントを記録し、これら特異ポイントよりも設定可能な秒数手前のポイントから順次再生することを可能にする再生ポイントを記録する再生ポイント生成手段２３を有するものとして構成すると好適である。この構成によれば、エンコードサーバー手段１０から、接続手段もしくは通信手段を介して映像情報および音声情報を転送されるローカルなパーソナルコンピュータ、もしくはセンターサーバー環境１３において、転送された映像情報および音声情報のうちの異常事態を自動的に、容易に検索および再生することができる。
【００３６】
さらにまた、エンコードサーバー手段１０は、撮像した映像情報の開始フレームに映る複数個の個体を認識して各個に連続番号を付与し、順次のフレーム毎に、連続番号が付与されていない新しい個体に対して後続の連続番号を付与することにより個体数を計数し、計数値を記録する個体計数手段２４を有するものとして構成すると好適である。スーパーインポーズ手段１０Ｂは、個体数定数手段２４からの情報により文字表示として映像にスーパーインポーズする。この構成によれば、本発明ウェアラブル監視カメラシステムを自然生体観察現場に使用するとき、貴重な動物の生息数量などを予測することに役立てることができる。
【産業上の利用可能性】
【００３７】
本発明ウェアラブル監視カメラシステムは、例えば、建築現場、ケーブル敷設作業現場等、危険な作業位置で作業をする作業員に携帯させて使用することができ、現場の危険性を回避する指示を与えたり、現場作業を克明に記録することができる。
【００３８】
さらに、本発明ウェアラブル監視カメラシステムは、エンコードサーバー手段の構成に基づいて、交通取締、警備、生産現場、物流現場、公的検査現場、物品販売現場等に利用することができる。
【図面の簡単な説明】
【００３９】
【図１】本発明によるウェアラブル監視カメラシステムを装着した作業員を示す説明図である。
【図２】ヘルメットに装着した本発明ウェアラブル監視カメラシステムのＣＣＤカメラ手段の説明図である。
【図３】本発明ウェアラブル監視カメラシステムにおけるヘッドセットタイプのマイク手段の実施例としてのインターカム手段の説明図である。
【図４】エンコードサーバー手段およびバッテリ手段をウエストポーチから引き出した状態を示す説明図である。
【図５】通信対応ウェアラブル監視カメラシステムの概念を示す説明図である。
【図６】本発明によるウェアラブル監視カメラシステムにおけるエンコードサーバー手段が用途に応じて種々の形態をとりうることを示す説明図である。
【符号の説明】
【００４０】
１  作業員
２  ヘルメット
３  ヘッドバンド
４  ＣＣＤカメラ手段
５  撮像レンズ
６  レーザ光発生手段（レーザポインタ）
７  操作ボタン
８  マイク手段（無線インターカム手段）
９  ウエストポーチ
１０  エンコードサーバー手段
10Ａ  クロック手段
10Ｂ  スーパーインポーズ手段
１１  バッテリ手段
１２  通信回線網
１３  センターサーバー環境もしくは管制スタッフ用ＰＣ環境
１４  ＧＰＳ装置
１５  高度センサ
１６  電波時計センサ
１７  位置予測手段
１８  通知音発生手段
１９  ＲＦＩＤ読み取り手段
２０  作業開始ボタン
２１  作業終了ボタン
２２  ぼかし画像処理手段
２３  再生ポイント生成手段
２４  個体計数手段
【図１】
2006148842.tif 000003
【図２】
2006148842.tif 000004
【図３】
2006148842.tif 000005
【図４】
2006148842.tif 000006
【図５】
2006148842.tif 000007
【図６】
2006148842.tif 000008